(57)【要約】【課題】画像の画質を常に精度よく調整することができる画像表示装置を提供する。【解決手段】画像表示装置１００は、画像信号を取得する入力画像制御部１７０と、画像信号に基づく画像の画質を調整する画質調整部１８０と、画像信号に基づく画像を表示するための画像出力部１９０と、自装置の周辺の照度を測定し、該照度を表す第１照度を出力するセンサー１２１と、他の装置に備えられたセンサーが測定した照度を表す情報を受信し、該照度を表す第２照度を出力する受信部１１０と、履歴における第１照度と履歴における第２照度とが近似しているか否かに応じて、第１照度又は第２照度を選択し、選択した該照度に基づいて、画質調整部１８０を制御するＭＰＵ１６０と、を備える。【選択図】図１
2012134601.tif 000002
【特許請求の範囲】
【請求項１】
画像信号を取得する入力画像制御部と、
前記画像信号が表す画像の画質を調整する画質調整部と、
前記画質調整部で調整された画像信号に基づく画像を表示するための画像出力部と、
自装置の周辺の照度を測定し、該照度を表す第１照度を出力する第１センサーと、
他の装置に備えられた第２センサーが測定した照度を表す情報を第２照度として受信する受信部と、
前記第１照度及び前記第２照度を履歴として記憶するメモリーと、
前記履歴における前記第１照度と前記履歴における前記第２照度とを比較した結果に応じて、前記第１照度又は前記第２照度を選択し、選択した該照度に基づいて、前記画質調整部を制御する制御部と、
を備えることを特徴とする画像表示装置。
【請求項２】
前記制御部は、前記履歴における前記第１照度と前記履歴における前記第２照度との差が所定の値のより小さい場合、前記第２照度を選択することを特徴とする請求項１に記載の画像表示装置。
【請求項３】
前記制御部は、前記履歴における前記第１照度と前記履歴における前記第２照度との差が所定の値より大きく、且つ、前記履歴における前記第１照度の変化が前記履歴における前記第２照度の変化よりも少ない場合、前記第２照度を選択することを特徴とする請求項１又は請求項２に記載の画像表示装置。
【請求項４】
前記制御部は、前記履歴における前記第１照度と前記履歴における前記第２照度との差が所定の値より大きく、且つ、前記履歴における前記第２照度の変化が前記履歴における前記第１照度の変化よりも少ない場合、前記第１照度を選択することを特徴とする請求項１から請求項３のいずれか１つに記載の画像表示装置。
【請求項５】
前記制御部は、前記履歴における前記第１照度と前記履歴における前記第２照度との差が所定の値より大きく、且つ、前記履歴における前記第２照度の変化が所定の値よりも大きい又は変化の間隔が予め定められた時間間隔よりも小さい場合、前記第１照度を選択することを特徴とする請求項１、請求項２及び請求項４のいずれか１つに記載の画像表示装置。
【請求項６】
前記画質調整部が調整した画像信号に基づく画像を表示するための光源を有する光源部を備え、
前記光源部は、前記制御部が選択した前記第１照度又は前記第２照度に基づいて、前記光源の発光量を調整することを特徴とする請求項１から請求項５のいずれか１つに記載の画像表示装置。
【請求項７】
入力画像の画質を調整する画質調整部と、前記画質調整部で調整された画像信号に基づく画像を表示するための画像出力部と、を備えた画像表示装置における制御方法であって、
前記画像表示装置に備えられた第１センサーによって周辺の照度を測定し、該照度を表す第１照度を出力し、
他の装置に備えられた第２センサーが測定した照度を表す情報を第２照度として受信し、
前記第１照度及び前記第２照度を履歴として記憶し、
前記履歴における前記第１照度と前記履歴における前記第２照度との差が所定の値より小さいか否かに応じて、前記第１照度又は前記第２照度を選択し、選択した該照度に基づいて、前記画質調整部を制御する
ことを特徴とする画像表示装置の制御方法。
【発明の詳細な説明】
【技術分野】
【０００１】
本発明は、画像表示装置及び画像表示装置の制御方法に関する。
【背景技術】
【０００２】
筐体の天面の照明センサーにより周囲の照度を測定し、測定した照度に基づいて、光源から射出される光の強さ及び画像の画質を調整する画像表示装置（プロジェクター）が知られている。この画像表示装置が棚などに収納された状態で使用された場合、照明センサーに入射する外光が遮蔽されてしまうため、照明センサーは、周囲の照度を測定することができないという問題がある。
【０００３】
また、リモートコントローラーが照明センサーを備えている画像投影システムも知られている（特許文献１参照）。このリモートコントローラーは、自らが備える照明センサーが測定した照度を画像表示装置に送信する。特許文献１に開示された画像表示装置は、画像表示装置が棚などに収納されたことで画像表示装置に入射する外光が遮蔽されている場合でも、リモートコントローラーから受信した照度に基づいて、光源から射出される光の強さ（発光量）を調整することができる。
【先行技術文献】
【特許文献】
【０００４】
【特許文献１】特開２００８−２４４６７１号公報
【発明の概要】
【発明が解決しようとする課題】
【０００５】
ところで、画像表示装置は、ユーザーによる持ち運びが可能であるため、棚などに常に収納された状態で使用されるとは限らない。外光が遮蔽されている場所で画像表示装置が使用されなければ、画像表示装置が備える照明センサーのほうが、リモートコントローラーが備える照明センサーよりも周辺の照度を正しく測定できる場合もある。このような場合、画像表示装置は、画像表示装置が備える照明センサーが測定した照度に基づくほうが、リモートコントローラーが備える照明センサーが測定した照度に基づくよりも、光源の発光量及び画像の画質を精度よく調整できる。
【０００６】
しかしながら、特許文献１に開示された画像表示装置は、リモートコントローラーが備える照明センサーが測定した照度のみに基づいて、光源の発光量を調整していた。このため、特許文献１に開示された画像表示装置は、光源の発光量を精度よく調整することができない場合があった。したがって、このような画像表示装置において、リモートコントローラーが備える照度センサーが測定した照度のみに基づいて、画像の画質を調整するようにした場合、適切に調整することができない場合がある。
【０００７】
本発明は、前記の点に鑑みてなされたものであり、光源の発光量及び画像の画質を常に精度よく調整することができる画像表示装置及び画像表示装置の制御方法を提供することを目的とする。
【課題を解決するための手段】
【０００８】
本発明は、上記の課題を解決するためになされたものであり、画像信号を取得する入力画像制御部と、前記画像信号が表す画像の画質を調整する画質調整部と、前記画質調整部で調整された画像信号に基づく画像を表示するための画像出力部と、自装置の周辺の照度を測定し、該照度を表す第１照度を出力する第１センサーと、他の装置に備えられた第２センサーが測定した照度を表す情報を第２照度として受信する受信部と、前記第１照度及び前記第２照度を履歴として記憶するメモリーと、前記履歴における前記第１照度と前記履歴における前記第２照度とを比較した結果に応じて、前記第１照度又は前記第２照度を選択し、選択した該照度に基づいて、前記画質調整部を制御する制御部と、を備えることを特徴とする画像表示装置である。
画像表示装置は、自装置のセンサーが測定した第１照度、又はリモートコントローラーのセンサーが測定した第２照度を選択し、選択した照度に基づいて画質調整部を制御するので、これにより、画像の画質を常に精度よく調整することができる。また、画像表示装置は、片方のセンサーが有効に機能しない状況においても、その状況をユーザーに意識させることなく、画像の画質を常に精度よく調整することができる。
【０００９】
また、本発明は、前記制御部が、前記履歴における前記第１照度と前記履歴における前記第２照度との差が所定の値のより小さい場合、前記第２照度を選択することを特徴とする画像表示装置である。
画像表示装置は、自装置のセンサー及びリモートコントローラーのセンサーのいずれも周辺の照度を測定できる場合、リモートコントローラーのセンサーが測定した第２照度を優先し、この第２照度に基づいて光源の発光量を制御するので、これにより、画像の画質を常に精度よく調整することができる。
【００１０】
また、本発明は、前記制御部が、前記履歴における前記第１照度と前記履歴における前記第２照度との差が所定の値より大きく、且つ、前記履歴における前記第１照度の変化が前記履歴における前記第２照度の変化よりも少ない場合、前記第２照度を選択することを特徴とする画像表示装置である。
画像表示装置は、自装置のセンサーが周辺の照度を測定できない場合、リモートコントローラーのセンサーが測定した照度に基づいて光源の発光量を制御するので、これにより、画像の画質を常に精度よく調整することができる。
【００１１】
また、本発明は、前記制御部が、前記履歴における前記第１照度と前記履歴における前記第２照度との差が所定の値より大きく、且つ、前記履歴における前記第２照度の変化が前記履歴における前記第１照度の変化よりも少ない場合、前記第１照度を選択することを特徴とする画像表示装置である。
画像表示装置は、リモートコントローラーのセンサーが周辺の照度を測定できない場合、自装置のセンサーが測定した照度に基づいて光源の発光量を制御するので、これにより、画像の画質を常に精度よく調整することができる。
【００１２】
また、本発明は、前記制御部が、前記履歴における前記第１照度と前記履歴における前記第２照度との差が所定の値より大きく、且つ、前記履歴における前記第２照度の変化が所定の値よりも大きい又は変化の間隔が予め定められた時間間隔よりも小さい場合、前記第１照度を選択することを特徴とする画像表示装置である。
画像表示装置は、リモートコントローラーのセンサーがスクリーンの投写面を向いている等の理由により周辺の照度を測定できない場合、自装置のセンサーが測定した照度に基づいて光源の発光量を制御するので、これにより、画像の画質を常に精度よく調整することができる。
【００１３】
また、本発明は、前記画質調整部が調整した画像信号に基づく画像を表示するための光源を有する光源部を備え、前記光源部が、前記制御部が選択した前記第１照度又は前記第２照度に基づいて、前記光源の発光量を調整することを特徴とする画像表示装置である。
画像表示装置は、自装置のセンサーが測定した照度、又はリモートコントローラーのセンサーが測定した照度を選択するので、これにより、選択した照度に基づいて光源の発光量を常に精度よく調整することができる。また、画像表示装置は、片方のセンサーが有効に機能しない状況においても、その状況をユーザーに意識させることなく、光源の発光量を常に精度よく調整することができる。
【００１４】
また、本発明は、入力画像の画質を調整する画質調整部と、前記画質調整部で調整された画像信号に基づく画像を表示するための画像出力部と、を備えた画像表示装置における制御方法であって、前記画像表示装置に備えられた第１センサーによって周辺の照度を測定し、該照度を表す第１照度を出力し、他の装置に備えられた第２センサーが測定した照度を表す情報を第２照度として受信し、前記第１照度及び前記第２照度を履歴として記憶し、前記履歴における前記第１照度と前記履歴における前記第２照度との差が所定の値より小さいか否かに応じて、前記第１照度又は前記第２照度を選択し、選択した該照度に基づいて、前記画質調整部を制御することを特徴とする画像表示装置の制御方法である。
画像表示装置は、自装置のセンサーが測定した照度、又はリモートコントローラーのセンサーが測定した照度を選択するので、これにより、選択した照度に基づいて画質を常に精度よく調整することができる。また、画像表示装置は、片方のセンサーが有効に機能しない状況においても、その状況をユーザーに意識させることなく、画質を常に精度よく調整することができる。
【００１５】
本発明によれば、画像表示装置は、自装置のセンサーが測定した照度、又はリモートコントローラーのセンサーが測定した照度を選択し、選択した照度に基づいて光源の発光量及び画像の画質を制御するので、これにより、光源の発光量及び画像の画質を常に精度よく調整することができる。
【図面の簡単な説明】
【００１６】
【図１】本発明の一実施形態における、画像表示装置の構成を表すブロック図である。
【図２】本発明の一実施形態における、センサーの配置、及び操作部の操作ボタンの配置を表す図である。
【図３】本発明の一実施形態における、照度ＩＤと照度範囲との対応関係を表す照度ＩＤ対応テーブルである。
【図４】本発明の一実施形態における、画像出力部の構成を表す図である。
【図５】本発明の一実施形態における、リモートコントローラーの構成を表すブロック図である。
【図６】本発明の一実施形態における、センサーの配置、及び操作部の操作ボタンの配置を、リモートコントローラーの上面側から表す図である。
【図７】本発明の一実施形態における、センサーの配置、及び操作部の操作ボタンの配置を、リモートコントローラーの天面側から表す図である。
【図８】本発明の一実施形態における、オート・カラー・オプティマイザー実行ボタンが押下された場合のリモートコントローラーの動作手順を表すフローチャートである。
【図９】本発明の一実施形態における、オート・カラー・オプティマイザー機能を実行中であるリモートコントローラーの動作手順を表すフローチャートである。
【図１０】本発明の一実施形態における、カラーモード・ボタンが押下された場合のリモートコントローラーの動作手順を表すフローチャートである。
【図１１】本発明の一実施形態における、オート・カラー・オプティマイザー実行ボタンの押下が通知された場合の画像表示装置の動作手順を表すフローチャートである。
【図１２】本発明の一実施形態における、カラーモード・ボタンの押下が通知された場合の画像表示装置の動作手順を表すフローチャートである。
【図１３】本発明の一実施形態における、リモートコントローラーから照度ＩＤが通知された場合の画像表示装置の動作手順を表すフローチャートである。
【図１４】本発明の一実施形態における、取得タイマーがタイムアウトした場合の画像表示装置の動作手順を表すフローチャートである。
【図１５】本発明の一実施形態における、オート・カラー・オプティマイザー機能を実行中である画像表示装置が、履歴における照度ＩＤを選択する手順を表すフローチャートである。
【図１６】本発明の一実施形態における、画像表示装置のセンサーが周辺の照度を測定出来ていないと画像表示装置が判定する場合の履歴における照度ＩＤを表す図である。
【図１７】本発明の一実施形態における、リモートコントローラーのセンサーが周辺の照度を測定出来ていないと画像表示装置が判定する場合の履歴における照度ＩＤの第１例を表す図である。
【図１８】本発明の一実施形態における、リモートコントローラーのセンサーが周辺の照度を測定出来ていないと画像表示装置が判定する場合の履歴における照度ＩＤの第２例を表す図である。
【図１９】本発明の一実施形態における、画像表示装置のセンサー、及びリモートコントローラーのセンサーが、それぞれの周辺の照度を測定出来ていると画像表示装置が判定する場合の履歴における照度ＩＤの例を表す図である。
【発明を実施するための形態】
【００１７】
本発明の一実施形態について図面を参照して詳細に説明する。本発明の一実施形態における画像表示システムは、画像表示装置（例えば、液晶表示装置、プロジェクター）と、リモートコントローラー（リモコン）とを備える。画像表示装置は、入力された画像信号に所定の画質調整を施し、画質調整後の画像信号に基づく画像を、光源から射出された光によりスクリーンに投写する。スクリーンに画像を投写する際、画像表示装置は、センサーが測定した照度に基づいて、光源の発光量、及び画像の画質を精度よく調整する。
【００１８】
まず、画像表示装置の構成について説明する。
図１には、画像表示装置の構成がブロック図により表されている。画像表示装置１００は、受信部１１０と、操作部１２０と、センサー１２１と、ＲＡＭ（Ｒａｎｄｏｍ Ａｃｃｅｓｓ Ｍｅｍｏｒｙ）１３０と、ＲＯＭ（Ｒｅａｄ Ｏｎｌｙ Ｍｅｍｏｒｙ）１４０と、ＮＶＲＡＭ（Ｎｏｎ Ｖｏｌａｔｉｌｅ ＲＡＭ）１５０と、ＭＰＵ（Ｍｉｃｒｏ Ｐｒｏｃｅｓｓｉｎｇ Ｕｎｉｔ、マイクロプロセッサ）１６０と、入力画像制御部１７０と、画質調整部１８０と、画像出力部１９０とを備える。
【００１９】
受信部１１０は、センサーが測定した照度を表す情報（照度ＩＤ）を、リモートコントローラーから赤外線により受信し、この情報をＭＰＵ１６０に出力する。ここで、照度ＩＤとは、センサーが測定した照度が属する照度範囲を識別するための識別情報（ＩＤ）である。例えば、照度範囲０〜１９[ルクス]には、照度ＩＤ０が識別情報として割り当てられる。また、例えば、照度範囲２０〜２４[ルクス]には、照度ＩＤ１が識別情報として割り当てられる。
【００２０】
また、受信部１１０は、リモートコントローラーへの操作入力に応じたボタン押下情報を、そのリモートコントローラーから赤外線により受信し、受信したボタン押下情報をＭＰＵ１６０に出力する。例えば、受信部１１０は、オート・カラー・オプティマイザー実行ボタン（図７を用いて後述する）が押下操作されたことを表す情報（キーコード）を、リモートコントローラーから赤外線により受信し、この情報をＭＰＵ１６０に出力する。また、受信部１１０は、カラーモード・ボタン（図７を用いて後述する）が押下操作されたことにより指定されたカラーモードを表す情報（キーコード）を、リモートコントローラーから赤外線により受信し、この情報をＭＰＵ１６０に出力する。
【００２１】
操作部１２０は、ユーザーが操作入力をするための操作ボタンを有するパネルであり、画像表示装置１００の天面に備えられる。操作部１２０は、ボタン押下などの操作入力を受け付け、この操作入力に応じたボタン押下情報をＭＰＵ１６０に出力する。例えば、操作部１２０は、光源の発光量、及び画像の画質を調整（Ｖｉｓｕａｌ  ｓｅｔｕｐ）するための画質調整パラメーターを指定する操作入力を受け付ける。また、操作部１２０は、カラーモード（例えば、ダイナミックモード、リビングモード、又はシアターモード）を指定するための操作入力を受け付ける。また、操作部１２０は、画像信号が入力される画像入力系統（Ｓｏｕｒｃｅ）を指定するための操作入力を受け付ける。また、操作部１２０は、出力する音声の音量（Ｖｏｌｕｍｅ）を調整するための操作入力を受け付ける。また、操作部１２０は、操作メニュー画面（Ｍｅｎｕ）を表示させるための操作入力を受け付ける。
【００２２】
センサー１２１は、画像表示装置１００の周辺（測定範囲）の照度を測定し、測定した照度を表す情報をＭＰＵ１６０に出力する。図２には、センサーの配置、及び操作部の操作ボタンの配置が表されている。センサー１２１は、画像表示装置１００の天面に備えられる。これにより、センサー１２１は、画像表示装置１００の天面に入射する外光（周辺外光）による、画像表示装置１００の周辺の照度を測定することができる。ただし、画像表示装置１００が棚などに収納された状態で使用されている場合には、画像表示装置１００の天面に入射する外光が遮蔽されることがある。
【００２３】
図１に戻り、画像表示装置の構成の説明を続ける。ＮＶＲＡＭ１５０は、不揮発性ＲＡＭであり、操作入力によりユーザーが指定した画質調整パラメーターの値を記憶する。ＲＡＭ１３０は、ワークメモリーと、フレームメモリーとを備える。ワークメモリーには、プログラムを実行する際に生成される各種のデータが記憶される。また、フレームメモリーには、入力画像制御部１７０に入力された画像信号に基づく画像フレームデータが一時記憶される。
【００２４】
ＲＯＭ１４０は、画像表示装置１００を動作させるためのプログラムを記憶する。このプログラムは、画像表示装置１００の起動時にＲＡＭ１３０のワークメモリーに展開される。また、ＲＯＭ１４０は、画質調整パラメーターの値を色調モード毎に予め記憶する。色調モード毎の画質調整パラメーターとしては、例えば、光源の発光量（明るさ）、及び画質（カラーモード、ブライトネス、コントラスト、色合い、色の濃さ、シャープネス、及び色温度など）がある。
【００２５】
また、ＲＯＭ１４０は、照度ＩＤと照度範囲との対応関係を予め記憶する。図３には、照度ＩＤと照度範囲との対応関係が、照度ＩＤ対応テーブルにより表されている。以下では、一例として、照度ＩＤ０には、照度範囲０〜１９[ルクス]が対応する。また、照度ＩＤ１には、照度範囲２０〜２４[ルクス] が対応する。また、照度ＩＤ２には、照度範囲２５〜２９[ルクス] が対応する。また、照度ＩＤ３には、照度範囲３０〜６４[ルクス] が対応する。また、照度ＩＤ４には、照度範囲６５〜８０[ルクス] が対応する。また、照度ＩＤ５には、照度範囲８１〜９６[ルクス] が対応する。また、照度ＩＤ６には、照度範囲９７〜１９２[ルクス] が対応する。また、照度ＩＤ７には、照度範囲１９３〜２４０[ルクス] が対応する。また、照度ＩＤ８には、照度範囲２４１〜２８８[ルクス] が対応する。また、照度ＩＤ９には、照度範囲２８９〜４８０[ルクス] が対応する。また、照度ＩＤ１０には、照度範囲４８１〜６００[ルクス] が対応する。また、照度ＩＤ１１には、照度範囲６０１〜７２０[ルクス] が対応する。また、照度ＩＤ１２には、照度範囲７２１〜測定最大値[ルクス] が対応する。
【００２６】
また、照度ＩＤ０は、色調モード０の確定範囲である。すなわち、センサーにより測定された照度が、色調モード０の確定範囲にある場合、画像表示装置１００は、色調モード０に対応する画質調整パラメーターの値に基づいて、光源の発光量及び画像の画質を調整する。同様に、照度ＩＤ３は、色調モード１の確定範囲である。また、照度ＩＤ６は、色調モード２の確定範囲である。また、照度ＩＤ９は、色調モード３の確定範囲である。また、照度ＩＤ１２は、色調モード４の確定範囲である。このように、センサーにより測定された照度が確定範囲にある場合、色調モードは、その確定範囲に対応する色調モードに切り替わる。
【００２７】
一方、照度ＩＤ１、２、４、５、７、８、１０及び１１に対応する照度範囲は、それぞれヒステリシスの不感帯である。センサーにより測定された照度がヒステリシスの不感帯にある場合、色調モードは切り替わらない。
【００２８】
図１に戻り、画像表示装置の構成の説明を続ける。ＭＰＵ１６０には、リモートコントローラーへの操作入力に応じたボタン押下情報と、リモートコントローラーが備えるセンサーが測定した照度に基づく照度ＩＤとが、受信部１１０から入力される。また、ＭＰＵ１６０は、センサー１２１が測定した照度を表す情報を、センサー１２１から取得する。
【００２９】
また、ＭＰＵ１６０は、受信部１１０から入力されたボタン押下情報に基づいて、オート・カラー・オプティマイザー（Ａｕｔｏ  Ｃｏｌｏｒ  Ｏｐｔｉｍｉｚｅｒ）機能を実行する。ここで、オート・カラー・オプティマイザー機能とは、センサーが測定した照度に応じて、画像表示装置が色調モードを最適に選択する機能、すなわち、画像表示装置が光源の発光量及び画像の画質を最適に調整する機能である。また、ＭＰＵ１６０は、照度を表す情報をセンサー１２１から一定周期（例えば、１００[ｍｓ]周期）で取得するための取得タイマーを、起動（オン）又は停止（オフ）させる。
【００３０】
また、ＭＰＵ１６０には、操作部１２０への操作入力に応じたボタン押下情報が、操作部１２０から入力される。ＭＰＵ１６０は、ボタン押下情報に基づいて、入力画像制御部１７０が有する複数の画像入力系統（例えば、ビデオ（Ｖｉｄｅｏ）、ＤＶＤ／ＵＳＢ（Ｄｉｇｉｔａｌ Ｖｅｒｓａｔｉｌｅ Ｄｉｓc／Ｕｎｉｖｅｒｓａｌ Ｓｅｒｉａｌ Ｂｕｓ））から、画像信号を取得する画像入力系統を選択する。
【００３１】
ＭＰＵ１６０は、ＮＶＲＡＭ１５０にアクセスし、ユーザーが指定した画質調整パラメーターの値を取得して、画質調整部１８０に出力する。また、ＭＰＵ１６０は、受信部１１０又は操作部１２０からのボタン押下情報が表すカラーモードに対応する色調モードの画質調整パラメーターの値を、ＲＯＭ１４０から取得して画質調整部１８０に出力する。
【００３２】
ここで、カラーモード「ＤＶＤ／ＵＳＢ」には、例えば、色調モード２が対応する。また、カラーモード「ビデオ」には、例えば、色調モード３が対応する。
【００３３】
ＭＰＵ１６０は、受信部１１０から入力された照度ＩＤを、リモートコントローラーからの照度ＩＤの履歴として、ＲＡＭ１３０のワークメモリーに記憶させる。一方、ＭＰＵ１６０は、センサー１２１が測定した照度が属する照度範囲に対応する照度ＩＤを、照度を表す情報と対応関係（図３を参照）とに基づいて求め、求めた照度ＩＤを画像表示装置１００の照度ＩＤの履歴として、ＲＡＭ１３０のワークメモリーに記憶させる。
【００３４】
ＭＰＵ１６０は、履歴における画像表示装置１００の照度ＩＤと、履歴におけるリモートコントローラーからの照度ＩＤとが近似しているか否かを判定する。ＭＰＵ１６０は、この判定に応じて、履歴における画像表示装置１００の照度ＩＤ、又は履歴におけるリモートコントローラーからの照度ＩＤを選択する。
【００３５】
画像表示装置１００は、自装置のセンサーが測定した第１照度、又はリモートコントローラーのセンサーが測定した第２照度を選択し、選択した照度に基づいて光源の発光量及び画像の画質を制御するので、これにより、光源の発光量及び画像の画質を常に精度よく調整することができる。また、画像表示装置１００は、片方のセンサーが有効に機能しない状況においても、その状況をユーザーに意識させることなく、光源の発光量及び画像の画質を常に精度よく調整することができる。
【００３６】
より具体的には、ＭＰＵ１６０は、履歴における画像表示装置１００の照度ＩＤと、履歴におけるリモートコントローラーからの照度ＩＤとが近似していない場合、履歴における照度ＩＤを次のように選択する。
【００３７】
ＭＰＵ１６０は、履歴における画像表示装置１００の照度ＩＤの変化が、履歴におけるリモートコントローラーの照度ＩＤの変化よりも少ない場合（図１６を用いて後述する）、画像表示装置１００のセンサー１２１が周辺の照度を正しく測定出来ていないと判定し、履歴におけるリモートコントローラーからの照度ＩＤを選択する。ここで、履歴における照度ＩＤの変化が少ないか否かは、例えば、照度ＩＤの前回の変化から今回の変化までの時間間隔（頻度）の比較に基づいて判定されてもよい。また、履歴における照度ＩＤの変化が少ないか否かは、例えば、照度ＩＤの変化量の比較に基づいて判定されてもよい。
【００３８】
画像表示装置１００は、自装置のセンサー１２１が周辺の照度を測定できない場合、リモートコントローラーのセンサーが測定した照度に基づいて光源の発光量及び画像の画質を制御するので、これにより、光源の発光量及び画像の画質を常に精度よく調整することができる。
【００３９】
また、ＭＰＵ１６０は、履歴におけるリモートコントローラーからの照度ＩＤの変化が、履歴における画像表示装置１００の照度ＩＤの変化よりも少ない場合（図１７を用いて後述する）、リモートコントローラーのセンサーが周辺の照度を正しく測定出来ていないと判定し、履歴における画像表示装置１００の照度ＩＤを選択する。
【００４０】
画像表示装置１００は、リモートコントローラーのセンサーが周辺の照度を測定できない場合、自装置のセンサー１２１が測定した照度に基づいて光源の発光量及び画像の画質を制御するので、これにより、光源の発光量及び画像の画質を常に精度よく調整することができる。
【００４１】
また、ＭＰＵ１６０は、履歴におけるリモートコントローラーからの照度ＩＤの変化が、予め定められた閾値よりも大きい又は予め定められた時間間隔よりも頻繁である場合（図１８を用いて後述する）、リモートコントローラーのセンサーがスクリーンの投写面に向いているなどの理由により周辺の照度を正しく測定出来ていないと判定し、履歴における画像表示装置１００の照度ＩＤを選択する。
【００４２】
画像表示装置１００は、リモートコントローラーのセンサーがスクリーンの投写面を向いている等の理由により周辺の照度を測定できない場合、自装置のセンサー１２１が測定した照度に基づいて光源の発光量及び画像の画質を制御するので、これにより、光源の発光量及び画像の画質を常に精度よく調整することができる。
【００４３】
一方、ＭＰＵ１６０は、履歴における画像表示装置１００の照度ＩＤと、履歴におけるリモートコントローラーからの照度ＩＤとが近似している場合（図１９を用いて後述する）、画像表示装置１００のセンサー１２１、及びリモートコントローラーのセンサーが、それぞれの周辺の照度を正しく測定出来ていると判定し、履歴におけるリモートコントローラーからの照度ＩＤを優先して選択する。
【００４４】
画像表示装置は、自装置のセンサー１２１及びリモートコントローラーのセンサーのいずれも周辺の照度を測定できる場合、リモートコントローラーのセンサーが測定した第２照度を優先し、この第２照度に基づいて光源の発光量及び画像の画質を制御するので、これにより、光源の発光量及び画像の画質を常に精度よく調整することができる。
【００４５】
ＭＰＵ１６０は、履歴における選択した照度ＩＤに対応する色調モードの画質調整パラメーターの値を、ＲＯＭ１４０から取得して画質調整部１８０及び画像出力部１９０に出力する。ＭＰＵ１６０は、履歴における選択した該照度ＩＤに基づく画質調整パラメーターにより、画像出力部１９０が有する光源（図４を用いて後述する）の発光量を制御する。また、ＭＰＵ１６０は、履歴における該選択した照度ＩＤに基づく画質調整パラメーターの値により、画質調整部１８０に所定の画質調整を実行させる。
【００４６】
入力画像制御部１７０は、複数の画像入力系統を有する。入力画像制御部１７０は、ＭＰＵ１６０により選択された画像入力系統から画像信号を取得し、取得した画像信号を画質調整部１８０に出力する。
【００４７】
画質調整部１８０には、色調モードに対応する画質調整パラメーターと、ユーザーが指定した画質調整パラメーターの値とが、ＭＰＵ１６０から入力される。また、画質調整部１８０には、入力画像制御部１７０から画像信号が入力される。画質調整部１８０は、各画質調整パラメーターの値に基づいて、画像信号に所定の画質調整を施し、画質調整後の画像信号を画像出力部１９０に出力する。
【００４８】
画像表示装置１００は、自装置のセンサー１２１が測定した照度、又はリモートコントローラーのセンサーが測定した照度を選択するので、これにより、選択した照度に基づいて画質を常に精度よく調整することができる。また、画像表示装置１００は、片方のセンサーが有効に機能しない状況においても、その状況をユーザーに意識させることなく、画質を常に精度よく調整することができる。
【００４９】
画像出力部１９０には、画質調整後の画像信号が画質調整部１８０から入力される。画像信号出力デバイス１４０は、入力された画像信号に応じた画像をスクリーンに投写する。  図４には、画像出力部の構成例がブロック図により表されている。画像出力部１９０は、照明部１０と、画像投写部５０とを備える。照明部１０は、光源部１１と、第１フライアイレンズ１２と、第２フライアイレンズ１３とを有する。光源部１１は、光源１４と、リフレクター１５とを有する。
【００５０】
光源１４は、赤色光ＬＲと、青色光ＬＢと、緑色光ＬＧとを、それぞれ独立に射出する。リフレクター１５は、光源１４が射出した光を反射する。フライアイレンズ１２及び１３は、複数のレンズ１６及び１７を有し、光源１４が射出した光の照度分布を、画像投写部５０において均一化させる。
【００５１】
画像投写部５０は、色分離合成部２０と、投写光学系４０とを有する。色分離合成部２０は、ダイクロイックミラー２１及び２２と、反射ミラー２３〜２５と、リレーレンズ２６〜２８と、透過型液晶ライトバルブ３０〜３２と、クロスダイクロイックプリズム３３とを有する。
【００５２】
光源１４が射出した光は、色分離合成部２０に入射する。ここで、光源１４が射出した光は、色分離合成部２０の透過型液晶ライトバルブ（光変調素子）３０〜３２において、フライアイレンズ１２及び１３によって照度分布が均一化されている。
【００５３】
ダイクロイックミラー２１及び２２は、所定の色光を選択的に反射し、それ以外の波長の光を透過する。例えば、ダイクロイックミラー２１及び２２は、ガラス表面に誘電体多層膜が積層されることにより製造されてもよい。
【００５４】
ダイクロイックミラー２１は、光源１４が射出した光のうち、赤色光ＬＲを透過させるとともに、青色光ＬＢ及び緑色光ＬＧを反射する。また、ダイクロイックミラー２２は、ダイクロイックミラー２１が反射した青色光ＬＢを透過させるとともに、緑色光ＬＧを反射する。
【００５５】
このようにして、光源１４が射出した赤色光ＬＲは、ダイクロイックミラー２１を透過した後、反射ミラー２５により反射され、赤色光用透過型液晶ライトバルブ３０に入射される。また。光源１４が射出した緑色光ＬＧは、ダイクロイックミラー２２により反射され、緑色光用透過型液晶ライトバルブ３１に入射される。また、光源１４が射出した青色光ＬＢは、ダイクロイックミラー２２を透過し、リレーレンズ２６と、反射ミラー２３と、リレーレンズ２７と、反射ミラー２４と、リレーレンズ２８とからなるリレー系２９を経て、青色光用透過型液晶ライトバルブ３２に入射される。
【００５６】
透過型液晶ライトバルブ３０〜３２は、光変調素子である。透過型液晶ライトバルブ３０により変調された赤色光ＬＲは、クロスダイクロイックプリズム３３に入射する。また、透過型液晶ライトバルブ３１により変調された緑色光ＬＧは、赤色光ＬＲと異なる方向からクロスダイクロイックプリズム３３に入射する。また、透過型液晶ライトバルブ３２により変調された青色光ＬＢは、赤色光ＬＲ及び緑色光ＬＧと異なる方向からクロスダイクロイックプリズム３３に入射する。
【００５７】
クロスダイクロイックプリズム３３は、直角プリズムが貼り合わされた構造を有し、その構造の内面には、赤色光ＬＲを反射するミラー面と、青色光ＬＢを反射するミラー面とが十字状に形成されている。赤色光ＬＲ、緑色光ＬＧ、及び青色光ＬＢはこれらのミラー面により合成され、合成された光が画像を形成する。
【００５８】
投写光学系４０は、投写レンズ４８を有する。クロスダイクロイックプリズム３３により形成された画像は、投写レンズ４８によりスクリーン９に拡大投写される。このようにして、画像投写部５０は、光源１４の発光を利用して、スクリーン９に画像を投写する。
【００５９】
次に、リモートコントローラーの構成について説明する。
図５には、リモートコントローラーの構成がブロック図により表されている。リモートコントローラー２００は、センサー２１０と、操作部２２０と、ＲＡＭ２３０と、ＲＯＭ２４０と、ＭＰＵ２５０と、情報送信部２６０とを備える。
【００６０】
センサー２１０は、リモートコントローラー２００の周辺（測定範囲）の照度を測定し、測定した照度を表す情報をＭＰＵ２５０に出力する。図６には、センサーの配置、及び操作部の操作ボタンの配置が、リモートコントローラーの上面側から表されている。センサー２１０は、リモートコントローラー２００の天面に備えられる。これにより、センサー１２１は、リモートコントローラー２００の天面に入射する外光（周辺外光）による、リモートコントローラー２００の周辺の照度を測定することができる。
【００６１】
図５に戻り、リモートコントローラーの構成の説明を続ける。操作部２２０は、ユーザーが操作入力をするための操作ボタンを、リモートコントローラー２００の天面に有する。操作部２２０は、ボタン押下などの操作入力を受け付け、この操作入力に応じたボタン押下情報をＭＰＵ２５０に出力する。
【００６２】
図７には、センサーの配置、及び操作部の操作ボタンの配置が、リモートコントローラーの天面側から表されている。図７に表されているように、センサー２１０は、リモートコントローラー２２０の天面において、ユーザーの手により覆われない位置に配置される。
【００６３】
操作部２２０は、ボタン押下などの操作入力を受け付け、この操作入力に応じたボタン押下情報をＭＰＵ２５０に出力する。操作部２２０は、例えば、カラーモードを指定するための操作入力を、カラーモード・ボタン２２２が押下操作されることにより受け付ける。また、例えば、操作部２２０は、オート・カラー・オプティマイザー機能を実行させるための操作入力を、オート・カラー・オプティマイザー実行ボタン２２１が押下操作されることにより受け付ける。
【００６４】
オート・カラー・オプティマイザー実行ボタン２２１は、ＭＰＵ２５０による制御に応じて点灯又は消灯する。具体的には、オート・カラー・オプティマイザー機能が実行中であること（カラーモードが「オート」であること）を表すために、オート・カラー・オプティマイザー実行ボタン２２１は、ＭＰＵ２５０による制御に応じて点灯する。一方、オート・カラー・オプティマイザー機能が実行中でない（停止中である）ことを表すために、オート・カラー・オプティマイザー実行ボタン２２１は、ＭＰＵ２５０による制御に応じて消灯する。
【００６５】
図５に戻り、リモートコントローラーの構成の説明を続ける。ＲＡＭ２３０は、ワークメモリーを備える。ワークメモリーには、プログラムを実行する際に生成される各種のデータが記憶される。ＲＯＭ２４０は、リモートコントローラー２００を動作させるためのプログラムを記憶する。このプログラムは、リモートコントローラー２００の起動時にＲＡＭ２３０のワークメモリーに展開される。また、ＲＯＭ１４０は、照度ＩＤと照度範囲との対応関係を表す照度ＩＤ対応テーブルを予め記憶する。この照度ＩＤ対応テーブルは、画像表示装置１００のＲＯＭ１４０（図１を参照）に記憶されている照度ＩＤ対応テーブル（図３を参照）と同じものである。
【００６６】
ＭＰＵ２５０には、リモートコントローラー２００への操作入力に応じたボタン押下情報が、操作部２２０から入力される。また、ＭＰＵ２５０は、オート・カラー・オプティマイザー実行ボタン２２１が消灯しているか否か、又は点灯しているか否かを判定する。また、ＭＰＵ２５０は、ボタン押下情報を情報送信部２６０に出力する。また、ＭＰＵ２５０は、照度を表す情報をセンサー２１０から一定周期（例えば、１００[ｍｓ]周期）で取得し、取得した照度を表す情報に対応する照度ＩＤを画像表示装置１００に通知するための通知タイマーを、起動（オン）又は停止（オフ）させる。
【００６７】
また、ＭＰＵ２５０には、センサー２１０が測定した照度を表す情報が、センサー２１０から入力される。ＭＰＵ２５０は、センサー２１０が測定した照度が属する照度範囲に対応する照度ＩＤを、照度を表す情報と対応関係（図３を参照）とに基づいて求め、求めた照度ＩＤを情報送信部２６０に出力する。なお、ＭＰＵ２５０は、求めた照度ＩＤを、履歴におけるリモートコントローラー２００の照度ＩＤとしてＲＡＭ２３０のワークメモリーに記憶させてもよい。
【００６８】
情報送信部２６０には、ボタン押下情報（キーコード）と照度ＩＤとが、ＭＰＵ１６０から入力される。このボタン押下情報には、例えば、オート・カラー・オプティマイザー実行ボタン２２１が押下されたことを表す情報、及び、カラーモードを表す情報がある。情報送信部２６０は、ボタン押下情報と照度ＩＤとを赤外線に変換して、画像表示装置１００（図１を参照）に送信する。
【００６９】
次に、画像表示装置及びリモートコントローラーの動作手順を説明する。
図８は、オート・カラー・オプティマイザー実行ボタンが押下された場合における、リモートコントローラーの動作手順を表すフローチャートである。オート・カラー・オプティマイザー実行ボタンが押下された場合、リモートコントローラー２００のＭＰＵ２５０（図５を参照）は、オート・カラー・オプティマイザー実行ボタンが消灯しているか否かを判定する（ステップＳ１）。
【００７０】
オート・カラー・オプティマイザー実行ボタンが消灯している場合（ステップＳ１−Ｙｅｓ）、ＭＰＵ２５０は、オート・カラー・オプティマイザー実行ボタン押下を、画像表示装置に通知する（ステップＳ２）。そして、ＭＰＵ２５０は、オート・カラー・オプティマイザー実行ボタンを点灯させる（ステップＳ３）。さらに、ＭＰＵ２５０は、通知タイマーをオンにする（ステップＳ４）。これにより、リモートコントローラー２００におけるオート・カラー・オプティマイザー機能は実行中となる。
【００７１】
また、ＭＰＵ２５０は、リモートコントローラー２００が備えるセンサー２１０から、周辺外光に応じた照度を表す情報を取得し、取得した情報に対応する照度ＩＤを求める（ステップＳ５）。そして、ＭＰＵ２５０は、求めた照度ＩＤを画像表示装置１００に通知する（ステップＳ６）。
【００７２】
一方、ステップＳ１において、オート・カラー・オプティマイザー実行ボタンの照明が点灯している場合（ステップＳ１−Ｎｏ）、ＭＰＵ２５０は、オート・カラー・オプティマイザー実行ボタンを消灯させる（ステップＳ７）。そして、ＭＰＵ２５０は、通知タイマーをオフにする（ステップＳ８）。これにより、リモートコントローラー２００におけるオート・カラー・オプティマイザー機能は停止中となる。
【００７３】
図９は、オート・カラー・オプティマイザー機能を実行中であるリモートコントローラーの動作手順を表すフローチャートである。オート・カラー・オプティマイザー機能を実行中に通知タイマーがタイムアウトした場合、リモートコントローラー２００のＭＰＵ２５０は、リモートコントローラー２００が備えるセンサー２１０から照度を表す情報を取得し、取得した情報に対応する照度ＩＤを求める（ステップＳａ１）。そして、ＭＰＵ２５０は、求めた照度ＩＤを画像表示装置１００に通知する（ステップＳａ２）。
【００７４】
図１０は、カラーモード・ボタンが押下された場合のリモートコントローラーの動作手順を表すフローチャートである。カラーモード・ボタンが押下された場合、リモートコントローラー２００のＭＰＵ２５０は、カラーモード・ボタンが押下されたことを画像表示装置１００に通知する（ステップＳｂ１）。そして、ＭＰＵ２５０は、オート・カラー・オプティマイザー実行ボタンが点灯しているか否かを判定する（ステップＳｂ２）。
【００７５】
オート・カラー・オプティマイザー実行ボタンが点灯している場合（ステップＳｂ２−Ｙｅｓ）、ＭＰＵ２５０は、オート・カラー・オプティマイザー実行ボタンを消灯させる（ステップＳｂ３）。そして、ＭＰＵ２５０は、通知タイマーをオフにする（ステップＳｂ４）。一方、ステップＳｂ２において、オート・カラー・オプティマイザー実行ボタンが消灯している場合（ステップＳｂ２−Ｎｏ）、ＭＰＵ２５０は、カラーモード・ボタンが押下された場合の処理を終了させる。
【００７６】
図１１は、オート・カラー・オプティマイザー実行ボタンの押下が通知された場合の画像表示装置の動作手順を表すフローチャートである。オート・カラー・オプティマイザー実行ボタンの押下が通知された場合、画像表示装置１００のＭＰＵ１６０（図１を参照）は、画像表示装置１００におけるオート・カラー・オプティマイザー機能が停止中であるか否かを判定する（ステップＳｃ１）。
【００７７】
画像表示装置１００におけるオート・カラー・オプティマイザー機能が停止中である場合（ステップＳｃ１−Ｙｅｓ）、ＭＰＵ１６０は、取得タイマーをオンにする（ステップＳｃ２）。これにより、画像表示装置１００におけるオート・カラー・オプティマイザー機能は実行中となる。また、ＭＰＵ１６０は、ＲＡＭ１３０（図１を参照）のワークメモリーに記憶されている履歴における照度ＩＤを初期化（クリア）する（ステップＳｃ３）。一方、ステップＳｃ１において、画像表示装置１００におけるオート・カラー・オプティマイザー機能が実行中である場合（ステップＳｃ１−Ｎｏ）、ＭＰＵ１６０は、取得タイマーをオフにする（ステップＳｃ４）。これにより、画像表示装置１００におけるオート・カラー・オプティマイザー機能は停止中となる。
【００７８】
図１２は、カラーモード・ボタンの押下が通知された場合の画像表示装置の動作手順を表すフローチャートである。カラーモード・ボタンの押下が通知された場合、画像表示装置１００のＭＰＵ１６０は、画像表示装置１００におけるオート・カラー・オプティマイザー機能が実行中であるか否かを判定する（ステップＳｄ１）。画像表示装置１００におけるオート・カラー・オプティマイザー機能が実行中である場合（ステップＳｄ１−Ｙｅｓ）、ＭＰＵ１６０は、取得タイマーをオフにする（ステップＳｄ２）。これにより、画像表示装置１００におけるオート・カラー・オプティマイザー機能は停止中となる。
【００７９】
また、ＭＰＵ１６０は、リモートコントローラー２００から受信したキーコードにより指定されたカラーモードに対応する色調モードの画質調整パラメーターの値に基づいて、画質調整部１８０（図１を参照）に画質を調整させる。また、ＭＰＵ１６０は、リモートコントローラー２００から受信したキーコードにより指定されたカラーモードに対応する色調モードの画質調整パラメーターの値に基づいて、画像出力部１９０（図１を参照）に光源の発光量及び画像の画質を調整させる（ステップＳｄ３）。一方、ステップＳｄ１において、画像表示装置１００におけるオート・カラー・オプティマイザー機能が実行中でない（停止中である）場合（ステップＳｄ１−Ｎｏ）、ＭＰＵ１６０は、ステップＳｄ３に処理を進める。
【００８０】
図１３は、リモートコントローラーから照度ＩＤが通知された場合の画像表示装置の動作手順を表すフローチャートである。オート・カラー・オプティマイザー機能を実行中に、リモートコントローラー２００から照度ＩＤが通知された場合、画像表示装置１００のＭＰＵ１６０は、今回の通知が、前回の通知から規定時間以上が経過している通知であるか否かを判定する（ステップＳｅ１）。今回の通知が、前回の通知から規定時間以上経過している通知である場合（ステップＳｅ１−Ｙｅｓ）、ＭＰＵ１６０は、ＲＡＭ１３０（図１を参照）のワークメモリーに記憶されている履歴における照度ＩＤを初期化（クリア）する（ステップＳｅ２）。
【００８１】
そして、ＭＰＵ１６０は、リモートコントローラー２００から通知された照度ＩＤを、履歴におけるリモートコントローラー２００からの照度ＩＤとして、ＲＡＭ１３０のワークメモリーに記憶させる（ステップＳｅ３）。さらに、ＭＰＵ１６０は、ＲＡＭ１３０のワークメモリーに記憶されている履歴における照度ＩＤを基に、オート・カラー・オプティマイザー機能を実行する（ステップＳｅ４）。ここで、ＲＡＭ１３０に記憶されている履歴における照度ＩＤのうち、履歴におけるリモートコントローラー２００からの照度ＩＤ、及び、履歴における画像表示装置１００の照度ＩＤのいずれが選択されるかについては、図１５を用いて後述する。
【００８２】
一方、ステップＳｅ１において、今回の通知が、前回の通知から規定時間以上経過している通知でない場合（ステップＳｅ１−Ｎｏ）、ＭＰＵ１６０は、ステップＳｅ３に処理を進める。
【００８３】
図１４は、取得タイマーがタイムアウトした場合の画像表示装置の動作手順を表すフローチャートである。オート・カラー・オプティマイザー機能を実行中に、取得タイマーがタイムアウトした場合、ＭＰＵ１６０は、画像表示装置１００が備えるセンサー１２１から照度を表す情報を取得し、取得した情報に対応する照度ＩＤを求める（ステップＳｆ１）。
【００８４】
そして、ＭＰＵ１６０は、求めた照度ＩＤを、履歴における画像表示装置１００の照度ＩＤとしてＲＡＭ１３０のワークメモリーに記憶させる（ステップＳｆ２）。さらに、ＭＰＵ１６０は、ＲＡＭ１３０のワークメモリーに記憶された履歴における照度ＩＤを基に、オート・カラー・オプティマイザー機能を実行する（ステップＳｆ３）。ここで、ＲＡＭ１３０に記憶されている履歴における照度ＩＤのうち、履歴におけるリモートコントローラー２００からの照度ＩＤ、及び、履歴における画像表示装置１００の照度ＩＤは、次のように選択される。
【００８５】
図１５は、オート・カラー・オプティマイザー機能を実行中である画像表示装置が、履歴における照度ＩＤを選択する手順を表すフローチャートである。オート・カラー・オプティマイザー機能を実行中に、画像表示装置１００のＭＰＵ１６０（図１を参照）は、ＲＡＭ１３０のワークメモリーにアクセスし、履歴におけるリモートコントローラー２００からの照度ＩＤを参照する（ステップＳｇ１）。そして、ＭＰＵ１６０は、リモートコントローラー２００から通知された照度ＩＤが、履歴における照度ＩＤに規定数以上存在するか否かを判定する（ステップＳｇ２）。
【００８６】
リモートコントローラー２００から通知された照度ＩＤが、履歴における照度ＩＤに規定数以上存在する場合（ステップＳｇ２−Ｙｅｓ）、ＭＰＵ１６０は、ＲＡＭ１３０のワークメモリーにアクセスし、履歴における画像表示装置１００の照度ＩＤを参照する（ステップＳｇ３）。また、ＭＰＵ１６０は、履歴における画像表示装置１００の照度ＩＤの変化と、履歴におけるリモートコントローラー２００からの照度ＩＤの変化とが、近似しているか否かを判定する（ステップＳｇ４）。
【００８７】
履歴における画像表示装置１００の照度ＩＤの変化と、履歴におけるリモートコントローラー２００からの照度ＩＤの変化とが、近似している場合（ステップＳｇ４−Ｙｅｓ）、ＭＰＵ１６０は、履歴におけるリモートコントローラー２００からの照度ＩＤを選択し、色調モードを決定するための情報として利用する（ステップＳｇ５）。ＭＰＵ１６０は、履歴における選択した照度ＩＤに基づいて色調モードを決定する。ＭＰＵ１６０は、決定した色調モードの画質調整パラメーターを、画質調整部１８０及び画像出力部１９０に出力する（ステップＳｇ６）。
【００８８】
一方、ステップＳｇ４において、履歴における画像表示装置１００の照度ＩＤの変化と、履歴におけるリモートコントローラー２００からの照度ＩＤの変化とが、近似していない場合（ステップＳｇ４−Ｎｏ）、ＭＰＵ１６０は、履歴における画像表示装置１００の照度ＩＤと、履歴におけるリモートコントローラー２００からの照度ＩＤとの変化傾向を判定する（ステップＳｇ７）。履歴における画像表示装置１００の照度ＩＤの変化が少ない場合、ＭＰＵ１６０は、ステップＳｇ５に処理を進める。
【００８９】
また、履歴におけるリモートコントローラー２００からの照度ＩＤの変化が、履歴における画像表示装置１００の照度ＩＤの変化よりも少ない場合、ＭＰＵ１６０は、履歴における画像表示装置１００の照度ＩＤを選択し、色調モードを決定するための情報として利用する。また、履歴におけるリモートコントローラー２００からの照度ＩＤの変化が、予め定められた閾値よりも大きい又は予め定められた時間間隔よりも頻繁である場合も、ＭＰＵ１６０は、履歴における画像表示装置１００の照度ＩＤを選択し、色調モードを決定するための情報として利用する（ステップＳｇ８）。
【００９０】
また、ステップＳｇ２において、リモートコントローラー２００から通知された照度ＩＤが、履歴における照度ＩＤに規定数以上存在しない場合（ステップＳｇ２−Ｎｏ）、ＭＰＵ１６０は、ステップＳｇ８に処理を進める。
【００９１】
次に、履歴における照度ＩＤについて説明する。
図１６は、画像表示装置のセンサーが周辺の照度を測定出来ていないと画像表示装置が判定する場合の履歴における照度ＩＤを表す図である。照度ＩＤの変化量及び変化の頻度について比較すると、図１６に表された例では、画像表示装置１００の履歴における照度ＩＤの変化は、履歴におけるリモートコントローラー２００の照度ＩＤの変化よりも少ない。この場合、ＭＰＵ１６０は、画像表示装置１００のセンサー１２１（図１を参照）が周辺の照度を正しく測定出来ていないと判定する。
【００９２】
図１７は、リモートコントローラーのセンサーが周辺の照度を測定出来ていないと画像表示装置が判定する場合の履歴における照度ＩＤの第１例を表す図である。照度ＩＤの変化量及び変化の頻度について比較すると、図１７に表された例では、履歴におけるリモートコントローラー２００からの照度ＩＤの変化は、履歴における画像表示装置１００の照度ＩＤの変化よりも少ない。この場合、ＭＰＵ１６０は、リモートコントローラー２００のセンサー２１０（図５を参照）が周辺の照度を正しく測定出来ていないと判定する。
【００９３】
図１８は、リモートコントローラーのセンサーが周辺の照度を測定出来ていないと画像表示装置が判定する場合の履歴における照度ＩＤの第２例を表す図である。図１８に表された例では、履歴におけるリモートコントローラー２００からの照度ＩＤは、照度ＩＤ２から照度ＩＤ９まで値７だけ変化している。照度ＩＤの変化量について比較すると、履歴におけるリモートコントローラー２００からの照度ＩＤの変化が、予め定められた閾値（例えば、閾値３）よりも大きい。この場合、ＭＰＵ１６０は、リモートコントローラー２００のセンサー２１０がスクリーン９（図４を参照）の投写面に向いているなどの理由により周辺の照度を正しく測定出来ていないと判定する。
【００９４】
図１９は、画像表示装置のセンサー、及びリモートコントローラーのセンサーが、それぞれの周辺の照度を測定出来ていると画像表示装置が判定する場合の履歴における照度ＩＤを表す図である。照度ＩＤの変化量及び変化の頻度について比較すると、図１９に表された例では、履歴における画像表示装置１００の照度ＩＤと、履歴におけるリモートコントローラー２００からの照度ＩＤとが近似（連動）している。この場合、ＭＰＵ１６０は、画像表示装置１００のセンサー１２１、及びリモートコントローラー２００のセンサー２１０が、それぞれの周辺の照度を正しく測定出来ていると判定する。
【００９５】
以上のように、画像表示装置１００は、画像信号を取得する入力画像制御部１７０と、前記画像信号が表す画像の画質を調整する画質調整部１８０と、画質調整部１８０で調整された画像信号に基づく画像を表示するための画像出力部１９０と、自装置の周辺の照度を測定し、該照度を表す第１照度を出力するセンサー１２１と、他の装置に備えられたセンサー２１０が測定した照度を表す情報（照度ＩＤ）を第２照度として受信する受信部１１０と、前記第１照度及び前記第２照度を履歴として記憶するＲＡＭ１３０と、前記履歴における前記第１照度と前記履歴における前記第２照度とを比較した結果に応じて、前記第１照度又は前記第２照度を選択し、選択した該照度に基づいて、画質調整部１８０を制御するＭＰＵ１６０とを備える。
【００９６】
画像表示装置は、自装置のセンサーが測定した第１照度、又はリモートコントローラーのセンサーが測定した第２照度を選択し、選択した照度に基づいて光源の発光量及び画像の画質を制御するので、これにより、光源の発光量及び画像の画質を常に精度よく調整することができる。また、画像表示装置は、片方のセンサーが有効に機能しない状況においても、その状況をユーザーに意識させることなく、光源の発光量及び画像の画質を常に精度よく調整することができる。
【００９７】
以上、この発明の実施形態について図面を参照して詳述してきたが、具体的な構成はこの実施形態に限られるものではなく、この発明の要旨を逸脱しない範囲の設計等も含まれる。
例えば、上記実施例では、測定した照度によって光源の発光量および画像の画質を調整しているが、これに限らず、光源の発光量のみを調整してもよいし、画像の画質のみを調整してもよい。
【００９８】
また、上述した画像投写部５０は、透過型液晶ライトバルブ３０〜３２を用いて画像をスクリーンに投射するタイプであったが、反射型液晶ライトバルブを用いて投射するタイプであってもよいし、デジタルミラーデバイスを用いたＤＭＤ方式であってもよい。また、３つの透過型液晶ライトバルブ３０〜３２によりカラー画像を投射する３ＬＣＤ方式に限らず、１つの液晶ライトバルブを用いてＲＧＢに対応する画像を時分割表示してカラー画像を投射する方式、カラーホイールを備えた単板ＤＭＤ方式、及び３ＤＭＤ方式のいずれにも本発明を適用可能である。
【００９９】
また、リモートコントローラー２００が実行する通信方式は、赤外線によるものに限定されなくてよい。
【０１００】
また、例えば、リモートコントローラー２００は、画像表示装置１００の履歴における照度ＩＤを画像表示装置１００から受信し、履歴における画像表示装置１００の照度ＩＤ、又は履歴におけるリモートコントローラー２００の照度ＩＤを選択して、選択した該照度を画像表示装置１００に通知することにより、画像表示装置１００が備える光源の発光量及び画像の画質を制御してもよい。
【０１０１】
また、例えば、リモートコントローラー２００が備えるセンサーと画像表示装置１００が備えるセンサーの両方が有効に機能しない場合、画像表示装置１００は、オート・カラー・オプティマイザー機能の実行を一時停止してもよい。
【０１０２】
なお、以上に説明した画像表示装置を実現するためのプログラムを、コンピューター読み取り可能な記録媒体に記録し、そのプログラムをコンピューターシステムに読み込ませて実行するようにしてもよい。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムが送信された場合のサーバやクライアントとなるコンピューターシステム内部の揮発性メモリー（ＲＡＭ）のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピューターシステムにすでに記録されているプログラムとの組み合わせで実現できるもの、いわゆる差分ファイル（差分プログラム）であってもよい。
【符号の説明】
【０１０３】
９…スクリーン、１０…照明部、１１…光源部、１２…第１フライアイレンズ、１３…第２フライアイレンズ、１４…光源、１５…リフレクター、１６，１７…レンズ、２０…色分離合成部、２１，２２…ダイクロイックミラー、２３，２４，２５…反射ミラー、２６，２７，２８…リレーレンズ、２９…リレー系、３０…赤色光用透過型液晶ライトバルブ（光変調素子）、３１…緑色光用透過型液晶ライトバルブ（光変調素子）、３２…青色光用透過型液晶ライトバルブ（光変調素子）、３３…クロスダイクロイックプリズム、４０…投写光学系、４８…投写レンズ、５０…画像投写部、１００…画像表示装置（プロジェクター）、１１０…受信部、１２０…操作部、１２１…センサー、１３０…ＲＡＭ、１４０…ＲＯＭ、１５０…ＮＶＲＡＭ、１６０…ＭＰＵ、１７０…入力画像制御部、１８０…画質調整部、１９０…画像出力部、２００…リモートコントローラー、２１０…センサー、２２０…操作部、２２１…オート・カラー・オプティマイザー実行ボタン、２２２…カラーモード・ボタン、２３０…ＲＡＭ、２４０…ＲＯＭ、２５０…ＭＰＵ、２６０…情報送信部
【図１】
2012134601.tif 000003
【図２】
2012134601.tif 000004
【図３】
2012134601.tif 000005
【図４】
2012134601.tif 000006
【図５】
2012134601.tif 000007
【図６】
2012134601.tif 000008
【図７】
2012134601.tif 000009
【図８】
2012134601.tif 000010
【図９】
2012134601.tif 000011
【図１０】
2012134601.tif 000012
【図１１】
2012134601.tif 000013
【図１２】
2012134601.tif 000014
【図１３】
2012134601.tif 000015
【図１４】
2012134601.tif 000016
【図１５】
2012134601.tif 000017
【図１６】
2012134601.tif 000018
【図１７】
2012134601.tif 000019
【図１８】
2012134601.tif 000020
【図１９】
2012134601.tif 000021